(57)【要約】      （修正有）【課題】電池セルが直接電池ホルダーから離脱することを避け、電池セルと電池ホルダーとの間に必要な係止空間を縮小可能な電池アセンブリを提供する。【解決手段】電池アセンブリ１は、電池ホルダー２０と、電池ホルダーに取外可能に設けられている電池セル１０とを有す。電池セルは電池１１０と、第１係止部１２２と、第２係止部１２４とを有し、第１係止部及び第２係止部は電池の端部１１２に設けられ、かつ第２係止部は端部の端面１１２１に沿って回転できる。電池ホルダーは係止部品２１０を有し、係止部品は電池セルを第１位置又は第２位置に位置決めするように第１係止部又は第２係止部に選択的に係止される。係止部品と第１係止部が係止を解除させた場合、電池セルは第１位置から第２位置まで移動し、第２係止部が端面に沿って回転することで、電池セルは離脱方向に沿って再び移動して、電池ホルダーから離脱する。【選択図】図１
0003234451.tif 000002
【実用新案登録請求の範囲】
【請求項１】
電池と、第１係止部と、第２係止部とを有し、前記第１係止部及び前記第２係止部が前記電池の端部に設けられ、かつ前記第２係止部が前記端部の端面に沿って回転可能な、電池セルと、
前記電池セルが前記電池ホルダーに取外可能となるように設けられ、前記電池ホルダーが係止部品を有し、前記係止部品が前記電池セルを第１位置又は第２位置に位置決めするように前記第１係止部又は前記第２係止部に選択的に係止される、電池ホルダーと、
を有し、
前記係止部品と前記第１係止部がロック解除方向に沿って相対移動して係止を解除させた場合、前記電池セルは離脱方向に沿って前記第１位置から前記係止部品と前記第２係止部とが係止される前記第２位置まで移動し、また、前記第２係止部と前記係止部品との係止を解除させるように前記第２係止部が前記端面に沿って回転することを可能にすることで、前記電池セルは前記離脱方向に沿って再び移動して、前記電池ホルダーから離脱する、電池アセンブリ。
【請求項２】
前記係止部品とカップリングするように前記電池ホルダーに設けられ、前記ロック部品がロック状態である場合、前記係止部品と前記第１係止部との相対移動を制限して係止を維持させ、前記ロック部品がロック解除の状態である場合、前記係止部品を前記ロック解除方向に沿って移動させて、前記係止部品と前記第１係止部との係止を解除させる、ロック部品をさらに有す、請求項１に記載の電池アセンブリ。
【請求項３】
前記電池セルは可動部品を有し、前記第２係止部が前記可動部品の一端に設けられ、前記可動部品の前記第２係止部と相対するもう一端は操作部であり、前記操作部が外力を受けて前記可動部品を回転させ、前記第２係止部を前記係止部品から離間させることで、係止が解除される、請求項２に記載の電池アセンブリ。
【請求項４】
前記電池セルは位置決め柱を有し、前記位置決め柱が前記端部に設けられ、前記可動部品が前記位置決め柱に回転可能となるように外嵌されている、請求項３に記載の電池アセンブリ。
【請求項５】
前記電池セルはねじりばねをさらに有し、前記ねじりばねは前記位置決め柱と前記可動部品との間に設けられており、前記操作部が外力を受けていない場合、前記第２係止部を前記第１係止部に近い位置に維持させ、前記操作部が外力を受けた場合、前記第２係止部を前記第１係止部から離間する方向に向けて回転させる、請求項４に記載の電池アセンブリ。
【請求項６】
前記電池セルは位置決め穴を有し、前記位置決め穴は前記端部に設けられ、前記ねじりばねの第１端が前記位置決め穴に位置付けられ、かつ前記ねじりばねの第２端の位置が前記端部によって制限される、請求項５に記載の電池アセンブリ。
【請求項７】
前記電池セルは位置制限部を有し、前記位置制限部は前記端部に設けられ、前記可動部品が回転する場合、前記位置制限部によって前記可動部品の回転が制限され、前記位置制限部は二つの隣接する側辺を有する角形状ブロックであり、前記可動部品が前記位置決め柱に外嵌される場合、前記角形状ブロックが前記可動部品によって覆われる、請求項４に記載の電池アセンブリ。
【請求項８】
前記電池セルは突出部をさらに有し、前記突出部は前記端部に設けられ、かつ前記電池ホルダーに向けて突出することによって、前記端部における前記第２係止部の設置空間を画定し、前記電池セルは前記電池ホルダーと接触するように前記突出部に設けられている緩衝材をさらに有す、請求項１に記載の電池アセンブリ。
【請求項９】
前記電池ホルダーに設けられ、前記係止部品と前記第１係止部又は前記第２係止部との係止が解除された場合、前記電池セルを前記離脱方向に沿って移動させる回復力を提供する、弾性部品をさらに有す、請求項１〜８のいずれか１項に記載の電池アセンブリ。
【請求項１０】
スタンド及びガスケットをさらに有し、前記電池ホルダーが前記スタンドに設けられ、前記ガスケットが前記電池ホルダーと前記スタンドとの間の距離を調整するように前記スタンドと前記弾性部品との間に設けられている、請求項９に記載の電池アセンブリ。
【考案の詳細な説明】
【技術分野】
【０００１】
本考案は、一般的に電池アセンブリに関し、具体的には、二段式の係止機構を有する電池アセンブリに関する。
【背景技術】
【０００２】
一般的な電動自転車は、電動モータの動力源として電池を利用しているが、電池は通常自転車のフレームに掛けられる。電池が振動によってフレームから離脱してしまうことを回避する為に、通常ロック機構により電池の固定を強化する。しかしながら、ユーザが電池を取り外す際に、ロック解除後に電池がそのままフレームから離脱して損傷すること、及び操作上の不便を避けるために、通常片方の手で電池を抑えながら、もう片方の手でロックを解除しなければならない。
【考案の概要】
【０００３】
本考案の目的は、電池セルを取り外す際に、電池セルが直接電池ホルダーから離脱することを避ける為に、二段式の係止機構を有する、電池アセンブリを提供することである。
【０００４】
本考案のもう一つの目的は、係止部が端面に沿って回転することで電池セルと電池ホルダーとの間に必要な係止空間を縮小可能な電池アセンブリを提供することである。
【０００５】
一実施例において、本考案は、電池ホルダーと電池ホルダーに取外可能に設けられている電池セルとを有し、電池セルは電池と、第１係止部と、第２係止部とを有し、第１係止部及び第２係止部は電池の端部に設けられ、かつ第２係止部は端部の端面に沿って回転でき、電池ホルダーは係止部品を有し、係止部品は電池セルを第１位置又は第２位置に位置決めするように第１係止部又は第２係止部に選択的に係止され、係止部品と第１係止部がロック解除方向に沿って相対移動して係止を解除させた場合、電池セルは離脱方向に沿って第１位置から係止部品と第２係止部とが係止される第２位置まで移動し、また、第２係止部と係止部品との係止を解除させるように第２係止部が端面に沿って回転することを可能にすることで、電池セルは離脱方向に沿って再び移動して、電池ホルダーから離脱する、電池アセンブリを提供することである。
【０００６】
一実施例において、電池アセンブリは、係止部品とカップリングするように電池ホルダーに設けられ、ロック部品がロック状態である場合、係止部品と第１係止部との相対移動を制限して係止を維持させ、ロック部品がロック解除の状態である場合、係止部品をロック解除方向に沿って移動させて、係止部品と第１係止部との係止を解除させる、ロック部品をさらに有す。
【０００７】
一実施例において、電池セルは、可動部品を有し、第２係止部が可動部品の一端に設けられ、可動部品の第２係止部と相対するもう一端は操作部であり、操作部が外力を受けると可動部品を回転させて、第２係止部を係止部品から離間させることで、係止が解除される。
【０００８】
一実施例において、電池セルは、位置決め柱を有し、位置決め柱は端部に設けられ、可動部品が位置決め柱に回転可能となるように外嵌されている。
【０００９】
一実施例において、電池セルは、ねじりばねをさらに有し、ねじりばねは位置決め柱と可動部品との間に設けられており、操作部が外力を受けていない場合、第２係止部を第１係止部に近い位置に維持させ、操作部が外力を受けた場合、第２係止部を第１係止部から離間する方向に向けて回転させる。
【００１０】
一実施例において、電池セルは、位置決め穴を有し、位置決め穴は端部に設けられ、ねじりばねの第１端が位置決め穴に位置付けられ、かつねじりばねの第２端の位置が端部によって制限される。
【００１１】
一実施例において、電池セルは、位置制限部を有し、位置制限部は端部に設けられ、可動部品が回転する場合、位置制限部によって可動部品の回転が制限される。
【００１２】
一実施例において、位置制限部は、二つの隣接する側辺を有する角形状ブロックであり、可動部品が位置決め柱に外嵌される場合、可動部品によって覆われる、角形状ブロックを有する。
【００１３】
一実施例において、電池セルは、突出部をさらに有し、突出部は端部に設けられ、かつ電池ホルダーに向けて突出することによって、端部における第２係止部の設置空間を画定する。
【００１４】
一実施例において、電池セルは、電池ホルダーに接触するように突出部に設けられている緩衝材をさらに有す。
【００１５】
一実施例において、電池アセンブリは、電池ホルダーに設けられ、係止部品と第１係止部又は第２係止部との係止が解除された際に、電池セルを離脱方向に沿って移動させる回復力を提供する、弾性部品をさらに有す。
【００１６】
一実施例において、電池アセンブリは、スタンド及びガスケットをさらに有し、電池ホルダーがスタンドに設けられ、ガスケットが電池ホルダーとスタンドとの間の距離を調整するようにスタンドと弾性部品との間に設けられている。
【００１７】
従来技術に比べ、本考案の電池アセンブリは、電池セルと電池ホルダーとの二段式の係止機構により、電池セルと電池ホルダーとのロック効果を強化するだけでなく、第１段階の係止が解除されても、電池セルと電池ホルダーとの係止を維持させることができ、ユーザに第２段階の係止を解除するための十分な時間を提供することで、電池セルがそのまま離脱してしまうことを有効に回避して電池セルの損傷を低減し、操作上の利便性を向上させる。なお、本考案の電池アセンブリは電池の端面に沿って回転可能な係止部により、電池セルと電池ホルダーとの間に必要な係止空間をさらに縮小することができる。
【図面の簡単な説明】
【００１８】
【図１】本考案に係る一実施例の電池アセンブリの模式図である。
【図２】図１の電池セルの局部の拡大分解模式図である。
【図２Ａ】図２の可動部品の他の角度での模式図である。
【図３】図１の電池ホルダーの分解模式図である。
【図４】本考案に係る他の実施例の電池アセンブリの模式図である。
【図４Ａ】図４の電池ホルダーの局部の分解模式図である。
【図５】本考案に係る一つの実施例における電池ホルダーが電池セルを第１位置に位置決めする断面模式図である。
【図５Ａ】図５の局部の拡大模式図である。
【図５Ｂ】図５の電池セルの第２係止部の状態の模式図である。
【図６】本考案に係る一実施例における電池ホルダーが電池セルを第２位置に位置決めする断面模式図である。
【図６Ａ】図６の局部の拡大模式図である。
【図６Ｂ】図６の電池セルの第２係止部の状態の模式図である。
【図７】本考案に係る一実施例における電池セルが電池ホルダーから離脱した断面模式図である。
【図７Ａ】図７の局部の拡大模式図である。
【図７Ｂ】図７の電池セルの第２係止部の状態の模式図である。
【考案を実施するための形態】
【００１９】
本考案は、電池アセンブリを提供し、電動自転車に応用できるが、これに限定されない。本考案の電池アセンブリは、二段式の取外操作が必要であるあらゆる装置に応用して電池アセンブリを取り外す安全で便利な方式を提供することができる。後述の参照図面において、本考案に係る実施例における電池アセンブリの各要素の構造及び操作を詳細に説明する。
【００２０】
図１は本考案に係る一実施例の電池アセンブリの模式図である。図１に示すように、電池アセンブリ１は、電池セル１０と、電池ホルダー２０とを有す。電池セル１０は電池ホルダー２０に取外可能となるように設けられている。電池セル１０は、電池１１０と、第１係止部１２２と、第２係止部１２４とを有す。第１係止部１２２及び第２係止部１２４は電池１１０の端部１１２に設けられ、かつ第２係止部１２４は端部１１２の端面１１２１に沿って回転可能である。電池ホルダー２０は係止部品２１０を有す。係止部品２１０は電池セル１０を第１位置又は第２位置に位置決めするように第１係止部１２２又は第２係止部１２４に選択的に係止できる。係止部品２１０と第１係止部１２２がロック解除方向Ｄ１（図３に示す）に沿って相対移動して係止を解除させる場合、電池セル１０は離脱方向Ｄ２（図２に示す）に沿って第１位置から係止部品２１０と第２係止部１２４とが係止される第２位置まで移動し、また、第２係止部１２４と係止部品２１０との係止を解除させるように第２係止部１２４が端面１１２１に沿って回転することを可能にすることで、電池セル１０は電池ホルダー２０から離脱する。
【００２１】
図１及び図２を同時に参照し、図２は図１の電池セルの局部の拡大分解模式図である。具体的には、電池１１０は長軸方向において対向する二つの端部１１２及び１１４を有し、端部１１２は電池ホルダー２０に近接しており、端部１１４は電池ホルダー２０から離れている。端面１１２１は端部１１２における電池ホルダー２０と向かい合う表面である。一実施例において、電池１１０は端部１１２に電池カバー１３０が設けられ、端面１１２１は電池カバー１３０において電池ホルダー２０と対向する表面であってもよい。かかる実施例において、第１係止部１２２と第２係止部１２４とは分離した二つの部材である。例えば、第１係止部１２２は電池カバー１３０に形成されている係止フック又は係止面であり、第２係止部１２４は電池カバー１３０に回転可能となるように設けられている部材であってもよい。
【００２２】
一実施例において、電池セル１０は可動部品１２０を有す。第２係止部１２４は可動部品１２０の一端に設けられ、可動部品１２０の第２係止部１２４と相対するもう端は操作部１２６である。操作部１２６は外力を受けて可動部品１２０を回転させて、第２係止部１２４を係止部品２１０から離間させることで、係止が解除される。具体的には、可動部品１２０は端部１１２に回転可能に設けられ、可動部品１２０を端面１１２１と平行に回転させることが好ましく、即ち、可動部品１２０の回転軸が実質的に端面１１２１の法線方向と平行である、又は端面１１２１に対して垂直であることが好ましい。第２係止部１２４は可動部品１２０の端部に設けられている係止フックであってもよい。可動部品１２０の回転軸は、操作部１２６が回転軸から第２係止部１２４と反対に延伸する柱体又はブロックとなるように、第２係止部１２４と操作部１２６との間に設けられていることが好ましい。一実施例において、第２係止部１２４は操作部１２６に対して所定の角度で傾斜してもよく、即ち、第２係止部１２４と操作部１２６との間の夾角を１８０度（例えば、可動部品１２０は弓型の棒）より小さくし、第２係止部１２４を第１係止部１２２に向かって湾曲させることで、第２係止部１２４と係止部品２１０との係止の解除（又は係止）に必要な回転空間を小さくすることができるが、これに限定されない。可動部品１２０は実際の応用に応じて、任意適宜な形状を有してもよく、例えば、他の実施例において、可動部品１２０は線形の棒であってもよいが、これに限定されない。第２係止部１２４及び操作部１２６は、可動部品１２０の回転軸に対して相対する両端に設けられるのが好ましく、これによって、操作部１２６が外力を受けて可動部品１２０を回転させる場合、第２係止部１２４を相応するように回転させることができる。言い換えれば、操作部１２６が外力を受けて回転する方向は第２係止部１２４の回転方向と同じであり、それに対して、操作部１２６が外力を受けて変位する方向は第２係止部１２４の変位方向と反対である。
【００２３】
可動部品１２０と端部１１２との間に枢着機構を有してもよく、これによって、可動部品１２０を端部１１２と回転可能に接続して端部１１２の端面１１２１に沿って回転させることができる。一実施例において、電池セル１０は位置決め柱１３２を有し、位置決め柱１３２は端部１１２に設けられ、可動部品１２０は位置決め柱１３２に回転可能に外嵌されている。例えば、位置決め柱１３２は電池カバー１３０に設けられ、かつねじ孔１３２２を有する凸形状の柱であり、可動部品１２０は位置決め柱１３２に対応する通り穴１２８を有し、可動部品１２０は、通り穴１２８を介して位置決め柱１３２に外嵌され、ボルト１４０によって通り穴１２８を通してねじ孔１３２２にねじ止めされていることで、位置決め柱１３２に回転可能となるように外嵌されている。それにより、位置決め柱１３２は可動部品１２０を端面１１２１に沿って回転する回転軸と見なすことができるが、これに限定されない。他の実施例（未図示）において、電池セル１０は位置決め柱１３２を有さずに、ねじ孔１３２２が端面１１２１に直接開設され、ボルト１４０によって可動部品１２０が端面１１２１に回転可能に設けられてもよい。それによって、ボルト１４０を可動部品１２０が端面１１２１に沿って回転する回転軸と見なすことができる。
【００２４】
位置決め柱１３２は、離脱方向Ｄ２に対して第１係止部１２２の側方に位置することが好ましく、可動部品１２０が位置決め柱１３２に外嵌される場合、第２係止部１２４、第１係止部１２２及び操作部１２６は電池セル１０に沿って電池ホルダー２０の離脱方向Ｄ２からこの順で設けられ、即ち、第２係止部１２４、第１係止部１２２及び操作部１２６はそれぞれ離脱方向Ｄ２の上流、中流及び下流に位置する。換言すれば、離脱方向Ｄ２が下側に向けて離脱する場合、第２係止部１２４、第１係止部１２２及び操作部１２６は上からこの順で設けられる。操作部１２６は外力を受けて可動部品１２０を回転させ、例えば、ユーザに押されることによって、第２係止部１２４を相応するように移動させて係止部品２１０から離間させる。離脱方向Ｄ２において、第２係止部１２４の少なくとも一部は第１係止部１２２の外側に位置する。換言すれば、ロック解除方向Ｄ１において、第１係止部１２２よりも第２係止部１２４の方が電池ホルダー２０に近い。
【００２５】
一実施例において、電池セル１０はねじりばね１５０をさらに有してもよく、ねじりばね１５０は位置決め柱１３２と可動部品１２０との間に設けられ、操作部１２６が外力を受けていない場合、第２係止部１２４を第１係止部１２２に近い位置に維持させ、操作部１２６が外力を受けた場合、第２係止部１２４を第１係止部１２２から離間する方向に向けて回転させる。一実施例において、図２に示すように、電池セル１０は位置決め穴１３４を有し、位置決め穴１３４は端部１１２に設けられている。ねじりばね１５０が電池１１０の端部１１２の位置決め柱１３２に外嵌されていることで、ねじりばね１５０の第１端１５２が位置決め穴１３４に位置決めされ、かつねじりばね１５０の第２端１５４の位置が端部１１２（例えば、突出部１６０であり、後文で説明する）によって制限される。ねじりばね１５０は、第２係止部１２４を第１係止部１２２に近い位置に維持させ、即ち、係止部品２１０と干渉可能な位置に維持させる予力を提供する。
【００２６】
一実施例において、電池セル１０は位置制限部１３６をさらに有し、位置制限部１３６は端部１１２に設けられている。可動部品１２０が回転する場合、位置制限部１３６によって可動部品１２０の回転が制限される。具体的には、図２に示すように、位置制限部１３６は二つの隣接する側辺１３６２、１３６４を有する角形状ブロックであり、かつ位置制限部１３６は位置決め柱１３２に隣接している。可動部品１２０が位置決め柱１３２に外嵌される場合、角形状ブロックの位置制限部１３６が可動部品１２０によって覆われる。例えば、図２Ａに示すように、可動部品１２０は端部１１２に対向する側に格納空間１２１を有してもよく、可動部品１２０が位置決め柱１３２に外嵌される場合、位置制限部１３６が格納空間１２１に位置する。可動部品１２０が端面１１２１に沿って回転する場合、可動部品１２０は、格納空間１２１における両側の側壁１２０ａ、１２０ｂにおいて位置制限部１３６の二つの隣接する側辺１３６２、１３６４に選択的に接触することによって、可動部品１２０の回転範囲を制限することができるが、これに限定されない。他の実施例（未図示）において、位置制限部は、可動部品１２０における両側の側壁１２０ａ、１２０ｂの外に設けられている凸状ブロックであり、可動部品１２０の二つの凸状ブロックの間における回転を制限することによって、可動部品１２０の回転範囲を制限してもよい。
【００２７】
一実施例において、電池セル１０は、突出部１６０をさらに有すことが好ましく、突出部１６０は端部１１２に設けられ、電池ホルダー２０に向けて突出して、第２係止部１２４の端部１１２における設置空間を画定する。例を挙げると、二つの柱体がそれぞれ電池カバー１３０の対向する両側から電池ホルダー２０の方向に向けて突起して突出部１６０となり、第２係止部１２４は、端部１１２に設けられる場合、端面１１２１に垂直な方向において突出部１６０から突出しないことが望ましい。即ち、突出部１６０は電池セル１０を電池ホルダー２０と接触させるために用いる部材とすることができる。なお、かかる実施例において、突出部１６０はねじりばね１５０の第２端１５４を制限する位置制限構造とすることもでき、例えば、ねじりばね１５０の第２端１５４は突出部１６０の下側に当接し、第２係止部１２４を第１係止部１２２に近い位置に維持させる予力を提供する。一実施例において、電池セル１０は緩衝材１６５をさらに有し、緩衝材１６５は、電池ホルダー２０と接触するために突出部１６０に設けられるのが好ましい。例えば、緩衝材１６５は弾性材料、例えばガム又はポリマーを有してもよく、これによって、電池セル１０と電池ホルダー２０との接触時の衝突力を低減させたり、電池セル１０と電池ホルダー２０との間の密着性を向上させたり、さらに、電池セル１０と電池ホルダー２０との間の摩擦力を向上させて、電池ホルダー２０に対する電池セル１０の移動の速度を緩慢にすることができる。
【００２８】
図１及び図３を同時に参照し、図３は図１の電池ホルダーの分解模式図である。一実施例において、電池ホルダー２０はロック部品２２０と、ベース２３０と、弾性部品２４０とをさらに有してもよい。ロック部品２２０は係止部品２１０を結合するよう電池ホルダー２０に設けられている。具体的には、ロック部品２２０及び係止部品２１０はそれぞれベース２３０の相対する両側に設けられ、弾性部品２４０はロック部品２２０と係止部品２１０との間に設けられている。ロック部品２２０のロック及びロック解除に応じて、係止部品２１０のロック解除方向Ｄ１に沿う移動を制限又は可能にすることができる。例えば、ロック部品２２０がロック状態である場合、係止部品２１０と第１係止部１２２とのロック解除方向Ｄ１に沿う相対移動を制限して係止を維持させ、ロック部品２２０がロック解除の状態である場合、係止部品２１０をロック解除方向Ｄ１に沿って移動させて、係止部品２１０と第１係止部１２２との係止を解除させる。
【００２９】
係止部品２１０は係止部２１２を有し、係止部２１２は外側に向けて突出している、即ち、電池セル１０に向けて突出している。係止部２１２は、第１係止部１２２又は第２係止部１２４に係止するように、第１係止部１２２及び第２係止部１２４に対応した形状を有する係止フック形式であってもよい。係止部品２１０はロック部品２２０とカップリングするようにカップリング孔２１４をさらに有してもよい。一実施例において、カップリング孔２１４は互いに連通する第１孔部２１４ａと、第２孔部２１４ｂとを有し、第１孔部２１４ａのアパチャーが第２孔部２１４ｂのアパチャーよりも大きいことで、ひょうたん形状のカップリング孔２１４が形成される。
【００３０】
ロック部品２２０はロック本体２２２と、駆動軸２２４とを有す。駆動軸２２４がロック本体２２２に接続され、かつロック本体２２２のロック及びロック解除に応じて、ロック本体２２２に対して伸びたり、縮んだり、即ち、ロック解除方向Ｄ１と平行に伸びたり、縮んだりする。例えば、ロック本体２２２は鍵又は暗証番号の設定によってロック状態又はロック解除の状態になる鍵ロック又はナンバーロックであってもよい。ロック本体２２２がロック状態である場合、駆動軸２２４はロック本体２２２に対して伸びた状態である。ロック本体２２２がロック解除の状態である場合、駆動軸２２４はロック本体２２２に対して縮んだ状態である。即ち、伸びた状態の駆動軸２２４がロック本体２２２に対して伸びた長さは、縮んだ状態の駆動軸２２４が場合のロック本体２２２に対して伸びた長さより大きい。駆動軸２２４において、長軸方向に沿って軸首２２６と軸先２２８とを有し、かつ軸首２２６の長軸方向（又は伸縮方向）に対して垂直な幅（又は径方向の直径）は軸先２２８よりも小さい。即ち、軸首２２６は軸先２２８に対して括れた状態である。
【００３１】
ベース２３０は、係止部品２１０がベース２３０においてベース２３０に対して移動可能にする中空筐体であることが好ましい。一実施例において、ベース２３０は側板２３２とベース本体２３４とを有す。ベース本体２３４は内部において収容空間２３４２を有する筐体であり、側板２３２はベース本体２３４と共に収容空間２３４２を囲むように、ベース本体２３４の開放側に設けられている。側板２３２は締込み、係止、接着、半田付けなどによってベース本体２３４に接続できるが、これに限定されない。側板２３２はロック部品２２０に隣接し、通り穴２３２２を有し、かつベース本体２３４は開口２３４４を有し、通り穴２３２２及び開口２３４４は収容空間２３４２と連通している。通り穴２３２２のサイズは駆動軸２２４を通過させるように駆動軸２２４に合わせられ、かつ開口２３４４のサイズは係止部２１２（及び駆動軸２２４）が延長可能となるように少なくとも係止部２１２に対応している。
【００３２】
ロック部品２２０は側板２３２の外側に設けられ、駆動軸２２４は通り穴２３２２及び収容空間２３４２を通過する。弾性素子２３８（例えば、コイルバネ）は側板２３２と係止部品２１０との間に設けられ、駆動軸２２４に外嵌されている。駆動軸２２４が第１孔部２１４ａからカップリング孔２１４を通過することを可能にするように、第１孔部２１４ａのアパチャーが駆動軸２２４の軸先２２８に対応しており、第２孔部２１４ｂのアパチャーが軸首２２６に合わせられ、これによって、軸先２２８が係止部品２１０のベース本体２３４に隣接する一側に位置し、かつ軸首２２６がカップリング孔２１４の第１孔部２１４ａに位置する。それにより、組み立ての際に、第２孔部２１４ｂに向けて駆動軸２２４を移動させて、軸首２２６と第２孔部２１４ｂとを係止させることで、駆動軸２２４が係止部品２１０に堅固にカップリングされて連動機構を形成し、かつ係止部２１２は開口２３４４から露出する。
【００３３】
図４及び図４Ａを参照し、図４は本考案に係る他の実施例の電池アセンブリの模式図であり、図４Ａは図４の電池ホルダーの局部の分解模式図である。図４及び図４Ａに示すように、電池アセンブリ１は弾性部品２４０をさらに有し、弾性部品２４０は電池ホルダー２０に設けられている。係止部品２１０と第１係止部１２２又は第２係止部１２４との係止が解除された場合、弾性部品２４０は電池セル１０を離脱方向Ｄ２に沿って移動させる回復力を提供する。具体的には、弾性部品２４０は板ばねとして実施でき、締込み、係止などによって電池ホルダー２０のベース２３０に固定できる。例えば、弾性部品２４０は接続部２４２と、延伸部２４４と、当接部２４６とを有する。接続部２４２は電池ホルダー２０と接続するために用いられる。延伸部２４４は、接続部２４２から離脱方向Ｄ２（例えば、下側に向けて）に向けて延出することによって、延伸部２４４と接続部２４２との間の夾角を１８０度よりも小さくする。電池セル１０が第１位置に維持される場合の電池１１０と接続部２４２との間の距離及び弾性部品２４０が電池１１０に対して印加しようとする回復力の大きさに応じて、延伸部２４４が延伸する長さ及び接続部２４２に対して湾曲する角度を選択できる。延伸部２４４の末端（即ち、接続部２４２から離れている一端）は、湾曲して当接部２４６を形成することで、当接部２４６によって電池セル１０との接触を確保することが好ましいが、これに限定されない。他の実施例において、延伸部２４４の末端が湾曲部分を有さずに、延伸部２４４の自由端を電池セル１０と接触する当接部２４６として用いてもよい。
【００３４】
なお、電池アセンブリ１はスタンド３０とガスケット２５０とをさらに有してもよい。電池ホルダー２０はスタンド３０に設けられてもよく、ガスケット２５０は電池ホルダー２０とスタンド３０との間の間隔を調整するようにスタンド３０と弾性部品２４０との間に設けられている。具体的には、一実施例において、スタンド３０は電池アセンブリ１の部材であり、電池アセンブリ１をスタンド３０によって電動自転車のフレームに装着し、また、ガスケット２５０によって電池ホルダー２０とスタンド３０との間の間隔を調整することで、ベース２３０のサイズを改めて設計して変更せずに、異なるフレーム設計における空間要求に対応することができる。他の実施例では、スタンド３０は電動自転車のフレームであってもよく、電池ホルダー２０はガスケット２５０によって電動自転車のフレームとの間の間隔を調整できる。なお、電動自転車のコネクタ４０は、電池ホルダー２０に対応するようにスタンド３０と相対する端に設けられ、コネクタ４０と電池ホルダー２０との間の距離を実質上電池セル１０の長軸方向に沿う長さと同じくしてもよく。それによって、電池セル１０が電池ホルダー２０に設けられている場合、電池セル１０の電池１１０の端部１１４に設けられている電気接点１１６はコネクタ４０の電気接点４２（図５を参照）と電気的に接続でき、また、緩衝材１６５によって締結性を強めることで、安定した電力を電動自転車の駆動装置へ供給することができる。図４Ａに示すように、一実施例において、電池ホルダー２０と、弾性部品２４０と、ガスケット２５０と、スタンド３０との間はそれぞれボルト１４２、１４４によって互いに接続されているが、これに限定されない。他の実施例では、電池ホルダー２０と、弾性部品２４０と、ガスケット２５０と、スタンド３０との間は係止、半田付けなどによって互いに接続されてもよい。
【００３５】
次に、図５〜図７を参照し、図５及び図６はそれぞれ電池ホルダー２０によって電池セル１０が第１位置及び第２位置に位置決めされる断面模式図であり、図７は電池セル１０が電池ホルダー２０から離脱した断面模式図である。図５及び図５Ａの局部の拡大図に示すように、係止部品２１０と第１係止部１２２とが係止される場合、電池ホルダー２０によって電池セル１０が第１位置に位置決めされる。第１位置は電池セル１０が電池ホルダー２０と結合してロックされる位置である。例えば、第１位置にある場合、ロック部品２２０はロック又はロック解除の操作を行うことができる。ロック部品２２０がロック状態である場合、駆動軸２２４は延伸状態であり、かつロック本体２２２に対して移動できず、係止部品２１０と第１係止部１２２とはロック解除方向Ｄ１に沿って相対移動できず係止状態を維持するので、電池セル１０は電池ホルダー２０にロックされ、かつ電池セル１０とコネクタ４０とは電気的に接続され、即ち、電気接点１１６と電気接点４２とは電気的に接続されている。かかる実施例において、図５Ａに示すように、電池ホルダー２０によって電池セル１０が第１位置に位置決めされる場合、第１係止部１２２は係止部２１２の延伸方向（即ち、ロック解除方向Ｄ１）に沿って係止部２１２に係止され、電池１１０は弾性部品２４０をスタンド３０の方向に向けて押し付けて、弾性部品２４０を弾性変形させる。図５Ａ及び５Ｂに示すように、電池ホルダー２０によって電池セル１０が第１位置に位置決めされる場合、第２係止部１２４はねじりばね１５０の予力（弾力）によって第１係止部１２２に近い位置に維持され、即ち、第２係止部１２４の離脱方向Ｄ２における投影は少なくとも一部が第１係止部１２２の外側にあり、かつ係止部品２１０の係止部２１２と部分的に重なる。
【００３６】
図６及び図６Ａの局部の拡大図に示すように、ロック部品２２０がロック状態からロック解除の状態になった場合、駆動軸２２４はロック本体２２２に向かって移動し（即ち、縮む）、係止部品２１０をロック解除方向Ｄ１に沿って移動させて第１係止部１２２から離間させることで、係止状態が解除され、電池セル１０は離脱方向Ｄ２に沿って第１位置から係止部品２１０と第２係止部１２４とが係止される第２位置まで移動する。例えば、係止部品２１０と第１係止部１２２との係止が解除された場合、電池セル１０は重力（及び弾性部品２４０の回復力）によって電池ホルダー２０に対して下向きに移動し、第２係止部１２４と係止部品２１０との係止によって第２位置に位置決めされ得る。具体的には、第２係止部１２４は係止部２１２の延伸方向（即ち、ロック解除方向Ｄ１）の側方から係止部２１２に向けて延伸し、係止部２１２に係止されることで、第２係止部１２４のロック解除方向Ｄ１における厚さを実際の必要に応じて調整でき、電池セル１０と電池ホルダー２０との間に必要な係止空間を有効に縮小することができる。かかる実施例において、図６及び６Ａに示すように、係止部品２１０と第１係止部１２２との係止が解除された場合、電池１１０によって押し付けられて変形した弾性部品２４０は電池セル１０を離脱方向Ｄ２に沿って係止部品２１０と第２係止部１２４とが係止される第２位置まで移動させる弾力（回復力）を提供する。電池ホルダー２０によって電池セル１０が第２位置に位置決めされる場合、ロック部品２２０はロック解除の状態のままであり、第２係止部１２４が端面１１２１に沿って回転可能にする。具体的には、図６Ａ及び図６Ｂに示すように、電池ホルダー２０によって電池セル１０が第２位置に位置決めされる場合、使用者が操作部１２６に対して外力Ｆを印加すると、操作部１２６が外力Ｆを受けて可動部品１２０を回転させ、さらに第２係止部１２４を回転させて係止部品２１０から離間させることで、係止部２１２との係止を解除することができる。即ち、使用者が操作部１２６に対して外力Ｆを印加すると、可動部品１２０の回転軸が実質的にロック解除方向Ｄ１と平行となり、可動部品１２０は端面１１２１と平行に回転方向Ｒ１（例えば、時計回り方向）に沿って破線で示す位置、即ち、第１係止部１２２から離間する位置まで移動することができる。かかる実施例において、ロック解除方向Ｄ１は実質的に離脱方向Ｄ２に対して垂直であり、即ち、ロック解除方向Ｄ１及び離脱方向Ｄ２は実質的に直交する二つの方向であるが、これに限定されない。他の実施例において、ロック解除方向Ｄ１と離脱方向Ｄ２との間の夾角は９０度より大きくても小さくてもよい。なお、図２に示す位置制限部１３６は、可動部品１２０の回転範囲を制限するように、可動部品１２０と破線で示す可動部品１２０とが重なる領域に設けることができ、これにより、外力Ｆが大きすぎて可動部品１２０を過度に回転させることを回避することができる。
【００３７】
図７及び図７Ａに示すように、操作部１２６が外力を受けて可動部品１２０を回転させ、第２係止部１２４を係止部品２１０から離間させることで、係止が解除された場合、電池セル１０は重力（及び弾性部品２４０の回復力）によって離脱方向Ｄ２に沿って電池ホルダー２０に対して再び移動し、電池ホルダー２０及びコネクタ４０から離脱する。なお、図７Ｂに示すように、電池セル１０が電池ホルダー２０から離脱し、かつ外力Ｆから解放された場合、ねじりばね１５０は回復力を与えて、可動部品１２０を端面１１２１と平行に逆回転方向Ｒ２（例えば、反時計方向）に沿って破線で示す位置、即ち、図５Ｂに示す第１係止部１２２に接近する位置まで回転させる。
【００３８】
なお、ロック部品２２０をロック解除の状態に設定し、図５〜図７に示す順序と逆に操作することによって、電池セル１０を電池ホルダー２０に実装することができる。具体的には、操作部１２６に対して外力Ｆを印加し、第２係止部１２４を係止部２１２から離間（即ち、第１係止部１２２から離間）させ、また、電池セル１０を実装方向（即ち、離脱方向Ｄ２の逆向き）に向けて押し付けることで、電池セル１０を電池ホルダー２０に実装し、コネクタ４０と電気的に接続する。
【００３９】
本考案を、前記の実施例に基づいて説明したが、前記の実施例は単なる例示に過ぎず、限定的なものではない。本考案の要旨を逸脱しない範囲内で、ここで特に説明した実施例は例示した実施例以外の他の変更を含むことができることは、当該技術分野の当業者にとって明らかである。したがって、本考案の範囲もかかる変更を含み、本考案の範囲は、添付された実用新案登録請求の範囲により定められている。
【符号の説明】
【００４０】
１：  電池アセンブリ
１０：  電池セル
１１０：  電池
１１２：  端部
１１４：  端部
１１６：  電気接点
１２０：  可動部品
１２０ａ：  側壁
１２０ｂ：  側壁
１２１：  格納空間
１２２：  第１係止部
１２４：  第２係止部
１２６：  操作部
１２８：  通り穴
１３０：  電池カバー
１３２：  位置決め柱
１３２２：  ねじ孔
１３４：  位置決め穴
１３６：  位置制限部
１３６２：  側辺
１３６４：  側辺
１４０：  ボルト
１４２：  ボルト
１４４：  ボルト
１５０：  ねじりばね
１５２：  第１端
１５４：  第２端
１６０：  突出部
１６５：  緩衝材
２０：  電池ホルダー
２１０：  係止部品
２１２：  係止部
２１４：  カップリング孔
２１４ａ：  第１孔部
２１４ｂ：  第２孔部
２２０：  ロック部品
２２２：  ロック本体
２２４：  駆動軸
２２６：  軸首
２２８：  軸先
２３０：  ベース
２３２：  側板
２３２２：  通り穴
２３４：  ベース本体
２３４２：  収容空間
２３４４：  開口
２３８：  弾性素子
２４０：  弾性部品
２４２：  接続部
２４４：  延伸部
２４６：  当接部
２５０：  ガスケット
３０：  スタンド
４０：  コネクタ
４２：  電気接点
Ｄ１：  ロック解除方向
Ｄ２：  離脱方向
Ｆ：  外力
Ｒ１：  回転方向
Ｒ２：  逆回転方向
【図１】
0003234451.tif 000003
【図２】
0003234451.tif 000004
【図２Ａ】
0003234451.tif 000005
【図３】
0003234451.tif 000006
【図４】
0003234451.tif 000007
【図４Ａ】
0003234451.tif 000008
【図５】
0003234451.tif 000009
【図５Ａ】
0003234451.tif 000010
【図５Ｂ】
0003234451.tif 000011
【図６】
0003234451.tif 000012
【図６Ａ】
0003234451.tif 000013
【図６Ｂ】
0003234451.tif 000014
【図７】
0003234451.tif 000015
【図７Ａ】
0003234451.tif 000016
【図７Ｂ】
0003234451.tif 000017